【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置であって、
前記記憶手段から出力された画像データを前記補助画素単位で前記レーザ光源の点灯あるいは消灯を行う点灯パターンに変換する変換手段と、
前記変換手段からの１画素分の点灯パターンを順次格納し前記画像形成手段に順次出力すると共に、複数画素分の点灯パターンを蓄積可能な格納手段と、
前記変換手段から前記格納手段に１画素分の点灯パターンを格納する際、前記点灯パターンに補助画素を付加して格納するよう制御する格納制御手段と、
前記画像形成手段で画像形成を行う際の第１の画像形成速度と該第１の画像形成速度より遅い第２の画像形成速度との差分を算出する算出手段と、
前記算出手段より算出した差分を基に、前記第２の画像形成速度による画像形成について、前記点灯パターンに付加する補助画素の付加量を決定する決定手段と、を備えることを特徴とする画像形成装置。
【請求項２】
レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置であって、
前記記憶手段から出力された画像データを前記補助画素単位で前記レーザ光源の点灯あるいは消灯を行う点灯パターンに変換する変換手段と、
前記変換手段からの１画素分の点灯パターンを順次格納し前記画像形成手段に順次出力すると共に、複数画素分の点灯パターンを蓄積可能な格納手段と、
前記変換手段から前記格納手段に１画素分の点灯パターンを格納する際、前記点灯パターンから補助画素を削除して格納するよう制御する格納制御手段と、
前記画像形成手段で画像形成を行う際の第１の画像形成速度と該第１の画像形成速度より遅い第２の画像形成速度との差分を算出する算出手段と、
前記算出手段より算出した差分を基に、前記第１の画像形成速度による画像形成について、前記点灯パターンから削除する補助画素の削除量を決定する決定手段と、を備えることを特徴とする画像形成装置。
【請求項３】
レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置であって、
前記記憶手段から出力された画像データを前記補助画素単位で前記レーザ光源の点灯あるいは消灯を行う点灯パターンに変換する変換手段と、
前記変換手段からの１画素分の点灯パターンを順次格納し前記画像形成手段に順次出力すると共に、複数画素分の点灯パターンを蓄積可能な格納手段と、
前記変換手段から前記格納手段に１画素分の点灯パターンを格納する際、前記点灯パターンに対し補助画素を付加あるいは削除して格納するよう制御する格納制御手段と、
前記画像形成手段で画像形成を行う際の第１の画像形成速度と該第１の画像形成速度より遅い第２の画像形成速度との間の第３の画像形成速度と、前記第１の画像形成速度との差分を算出する第１の算出手段と、
前記第３の画像形成速度と、前記第２の画像形成速度との差分を算出する第２の算出手段と、
前記第１の算出手段より算出した差分を基に、前記第２の画像形成速度による画像形成について、前記点灯パターンに付加する補助画素の付加量を決定する第１の決定手段と、
前記第２の算出手段より算出した差分を基に、前記第１の画像形成速度による画像形成について、前記点灯パターンから削除する補助画素の削除量を決定する第２の決定手段と、を備えることを特徴とする画像形成装置。
【請求項４】
前記第１の画像形成速度は、白黒の画像形成を行う際の画像形成速度であり、前記第２の画像形成速度は、カラーの画像形成を行う際の画像形成速度であることを特徴とする請求項１〜３のいずれかに記載の画像形成装置。
【請求項５】
前記第３の画像形成速度は、前記クロックに基づき設定される画像形成速度であることを特徴とする請求項３記載の画像形成装置。
【請求項６】
レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置の制御方法であって、
前記記憶手段から出力された画像データを前記補助画素単位で前記レーザ光源の点灯あるいは消灯を行う点灯パターンに変換する変換ステップと、
前記変換ステップからの１画素分の点灯パターンを順次格納し前記画像形成手段に順次出力すると共に複数画素分の点灯パターンを蓄積可能な格納手段に、１画素分の点灯パターンを格納する際、前記点灯パターンに補助画素を付加して格納するよう制御する格納制御ステップと、
前記画像形成手段で画像形成を行う際の第１の画像形成速度と該第１の画像形成速度より遅い第２の画像形成速度との差分を算出する算出ステップと、
前記算出ステップより算出した差分を基に、前記第２の画像形成速度による画像形成について、前記点灯パターンに付加する補助画素の付加量を決定する決定ステップと、を有することを特徴とする制御方法。
【請求項７】
レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置の制御方法であって、
前記記憶手段から出力された画像データを前記補助画素単位で前記レーザ光源の点灯あるいは消灯を行う点灯パターンに変換する変換ステップと、
前記変換ステップからの１画素分の点灯パターンを順次格納し前記画像形成手段に順次出力すると共に複数画素分の点灯パターンを蓄積可能な格納手段に、１画素分の点灯パターンを格納する際、前記点灯パターンから補助画素を削除して格納するよう制御する格納制御ステップと、
前記画像形成手段で画像形成を行う際の第１の画像形成速度と該第１の画像形成速度より遅い第２の画像形成速度との差分を算出する算出ステップと、
前記算出ステップより算出した差分を基に、前記第１の画像形成速度による画像形成について、前記点灯パターンから削除する補助画素の削除量を決定する決定ステップと、を有することを特徴とする制御方法。
【請求項８】
レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置の制御方法であって、
前記記憶手段から出力された画像データを前記補助画素単位で前記レーザ光源の点灯あるいは消灯を行う点灯パターンに変換する変換ステップと、
前記変換ステップからの１画素分の点灯パターンを順次格納し前記画像形成手段に順次出力すると共に複数画素分の点灯パターンを蓄積可能な格納手段に、１画素分の点灯パターンを格納する際、前記点灯パターンに対し補助画素を付加あるいは削除して格納するよう制御する格納制御ステップと、
前記画像形成手段で画像形成を行う際の第１の画像形成速度と該第１の画像形成速度より遅い第２の画像形成速度との間の第３の画像形成速度と、前記第１の画像形成速度との差分を算出する第１の算出ステップと、
前記第３の画像形成速度と、前記第２の画像形成速度との差分を算出する第２の算出ステップと、
前記第１の算出ステップより算出した差分を基に、前記第２の画像形成速度による画像形成について、前記点灯パターンに付加する補助画素の付加量を決定する第１の決定ステップと、
前記第２の算出ステップより算出した差分を基に、前記第１の画像形成速度による画像形成について、前記点灯パターンから削除する補助画素の削除量を決定する第２の決定ステップと、を有することを特徴とする制御方法。
【手続補正２】
【補正対象書類名】明細書
【補正対象項目名】０００２
【補正方法】変更
【補正の内容】
【０００２】
従来、レーザ光により感光体を露光して可視像を形成し記録紙に転写することで画像形成を行う図１３及び図１４に示す画像形成部を備えた画像形成装置がある。回転多面鏡（ポリゴンミラー）２０１は、４面の反射面（１つの反射面は１ラインの走査に対応）を備え、ポリゴンモータ（レーザスキャナモータ）２０２により矢印方向に回転駆動される。レーザダイオード２０３は、駆動回路（不図示）により画像信号に応じて点灯／消灯し、光変調されたレーザ光を回転多面鏡２０１に向けて照射する。
【手続補正３】
【補正対象書類名】明細書
【補正対象項目名】０００３
【補正方法】変更
【補正の内容】
【０００３】
レーザ光は、回転多面鏡２０１の回転に伴い、その反射面で連続的に角度を変える偏向ビームとして反射され、レンズ群（不図示）により歪曲収差の補正等を受け、反射鏡２０４を経て１ラインずつ感光体２０５の主走査方向に走査する。感光体２０５は、矢印方向に回転駆動されると共に予め帯電器２０６により帯電されており、レーザ光の走査により順次露光されることで静電潜像が形成される。現像器２０７は、静電潜像をトナーで現像し可視像を形成する。転写帯電器２０８は、感光体上の可視像を矢印２１０の方向に搬送されてくる記録紙に転写する。可視像が転写された記録紙は、定着器２１１に搬送され定着が行われた後に機外に排出される。
【手続補正４】
【補正対象書類名】明細書
【補正対象項目名】００１８
【補正方法】変更
【補正の内容】
【００１８】
上述の目的を達成するために、本発明は、レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置であって、前記記憶手段から出力された画像データを前記補助画素単位で前記レーザ光源の点灯あるいは消灯を行う点灯パターンに変換する変換手段と、前記変換手段からの１画素分の点灯パターンを順次格納し前記画像形成手段に順次出力すると共に、複数画素分の点灯パターンを蓄積可能な格納手段と、前記変換手段から前記格納手段に１画素分の点灯パターンを格納する際、前記点灯パターンに補助画素を付加して格納するよう制御する格納制御手段と、前記画像形成手段で画像形成を行う際の第１の画像形成速度と該第１の画像形成速度より遅い第２の画像形成速度との差分を算出する算出手段と、前記算出手段より算出した差分を基に、前記第２の画像形成速度による画像形成について、前記点灯パターンに付加する補助画素の付加量を決定する決定手段と、を備えることを特徴とする。
【手続補正５】
【補正対象書類名】明細書
【補正対象項目名】００１９
【補正方法】変更
【補正の内容】
【００１９】
また、本発明は、レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置であって、前記記憶手段から出力された画像データを前記補助画素単位で前記レーザ光源の点灯あるいは消灯を行う点灯パターンに変換する変換手段と、前記変換手段からの１画素分の点灯パターンを順次格納し前記画像形成手段に順次出力すると共に、複数画素分の点灯パターンを蓄積可能な格納手段と、前記変換手段から前記格納手段に１画素分の点灯パターンを格納する際、前記点灯パターンから補助画素を削除して格納するよう制御する格納制御手段と、前記画像形成手段で画像形成を行う際の第１の画像形成速度と該第１の画像形成速度より遅い第２の画像形成速度との差分を算出する算出手段と、前記算出手段より算出した差分を基に、前記第１の画像形成速度による画像形成について、前記点灯パターンから削除する補助画素の削除量を決定する決定手段と、を備えることを特徴とする。
【手続補正６】
【補正対象書類名】明細書
【補正対象項目名】００２０
【補正方法】変更
【補正の内容】
【００２０】
また、本発明は、レーザ光源から出力したレーザ光を回転多面鏡により偏向させ、回転駆動される感光体をレーザ光で走査することにより前記感光体に潜像を形成し、前記潜像を現像した画像を記録媒体に転写する画像形成手段と、前記レーザ光源を画像構成要素の画素が分割された補助画素単位で駆動する駆動手段と、１画素単位のクロックを発生する発生手段と、前記クロックに同期して画像データを出力する記憶手段と、を備え、前記画像形成手段の画像形成速度に対応する前記感光体の回転速度に応じて前記回転多面鏡の回転速度の設定が可能な画像形成装置であって、前記記憶手段から出力された画像データを前記補助画素単位で前記レーザ光源の点灯あるいは消灯を行う点灯パターンに変換する変換手段と、前記変換手段からの１画素分の点灯パターンを順次格納し前記画像形成手段に順次出力すると共に、複数画素分の点灯パターンを蓄積可能な格納手段と、前記変換手段から前記格納手段に１画素分の点灯パターンを格納する際、前記点灯パターンに対し補助画素を付加あるいは削除して格納するよう制御する格納制御手段と、前記画像形成手段で画像形成を行う際の第１の画像形成速度と該第１の画像形成速度より遅い第２の画像形成速度との間の第３の画像形成速度と、前記第１の画像形成速度との差分を算出する第１の算出手段と、前記第３の画像形成速度と、前記第２の画像形成速度との差分を算出する第２の算出手段と、前記第１の算出手段より算出した差分を基に、前記第２の画像形成速度による画像形成について、前記点灯パターンに付加する補助画素の付加量を決定する第１の決定手段と、前記第２の算出手段より算出した差分を基に、前記第１の画像形成速度による画像形成について、前記点灯パターンから削除する補助画素の削除量を決定する第２の決定手段と、を備えることを特徴とする。
【手続補正７】
【補正対象書類名】明細書
【補正対象項目名】００２１
【補正方法】変更
【補正の内容】
【００２１】
本発明によれば、第１の画像形成速度と該第１の画像形成速度より遅い第２の画像形成速度との差分を基に、第２の画像形成速度による画像形成について、点灯パターンに付加する補助画素の付加量を決定する。また、第１の画像形成速度と該第１の画像形成速度より遅い第２の画像形成速度との差分を基に、第１の画像形成速度による画像形成について、点灯パターンから削除する補助画素の削除量を決定する。また、第３の画像形成速度と、第１の画像形成速度との差分を基に、第２の画像形成速度による画像形成について、点灯パターンに付加する補助画素の付加量を決定する。また、第３の画像形成速度と、第２の画像形成速度との差分を基に、第１の画像形成速度による画像形成について、点灯パターンから削除する補助画素の削除量を決定する。これにより、複数の画像形成速度を持つ画像形成装置を回路の増設等を行うことなく安価に構成することが可能となる。
【手続補正８】
【補正対象書類名】図面
【補正対象項目名】図１
【補正方法】変更
【補正の内容】
【図１】
2009126045.tif 000001